(57)【要約】  ケーブル束を梯子踏段に固定するためのブラケット組立体が開示される。ブラケット組立体は、金属製ブラケットと、保護グロメットと、を含む。金属製ブラケットは、第１の部材と、側壁と、第２の部材と、を有する。金属製ブラケットの第１の部材は、金属製ブラケットの第２の部材に平行である。保護グロメットは、金属製ブラケットに固定される。保護グロメットは、ベース部材と、ベース部材から延在するスリーブと、側面部材と、底面部材と、を有する。組み立てられた金属製ブラケットおよび保護グロメットは、梯子踏段を受容し、保護グロメットのスリーブは、梯子踏段上に配置されたケーブル束に巻き付いてケーブル束を固定する。
2016513449.tif 000002
【特許請求の範囲】
【請求項１】
ケーブル束を梯子踏段に固定するためのブラケット組立体であって、該ブラケット組立体は、
第１の部材と、側壁と、第２の部材と、を有する金属製ブラケットであって、前記第１の部材が前記第２の部材に平行である、金属製ブラケットと、
前記金属製ブラケットに固定された保護グロメットであって、各保護グロメットが、ベース部材と、前記ベース部材から延在するスリーブと、側面部材と、底面部材と、を有する、保護グロメットと、を備え、
それにより、前記組み立てられた金属製ブラケットおよび保護グロメットが、前記梯子踏段を受容し、前記保護グロメットの前記スリーブが、前記梯子踏段上に配置された前記ケーブル束に巻き付き、前記スリーブが重なり合って前記ケーブル束を固定する、ブラケット組立体。
【請求項２】
前記金属製ブラケットの前記第１の部材および前記第２の部材が、前記保護グロメットのロッキング特徴を受容する穴を有する、請求項１に記載のブラケット組立体。
【請求項３】
各底面部材の裏面がロッキング特徴を含み、各ベース部材の裏面がロッキング特徴を含み、それにより、前記保護グロメットの前記ロッキング特徴が、前記金属製ブラケットの前記第１の部材および第２の部材中の穴内に受容される、請求項１に記載のブラケット組立体。
【請求項４】
前記保護グロメットが、互いにインターロックされる同一のグロメットである、請求項１に記載のブラケット組立体。
【請求項５】
前記保護グロメットの前記底面部材が、複数の指形体を含む、請求項１に記載のブラケット組立体。
【請求項６】
各保護グロメットの前記複数の指形体が、インターロックして前記保護グロメットを互いに固定する、請求項５に記載のブラケット組立体。
【請求項７】
前記底面部材の前記インターロックされた指形体が、前記梯子踏段を受容するためのチャネルを形成する、請求項６に記載のブラケット組立体。
【請求項８】
前記保護グロメットの前記側面部材および前記底面部材が、前記ブラケット組立体が前記梯子踏段上に取り付けられると、異なる踏段寸法に適応し、かつ動きに対する抵抗を増加させるための王冠形特徴を含む、請求項１に記載のブラケット組立体。
【請求項９】
前記保護グロメットが、前記スリーブの前記裏面から延在するフランジをさらに備え、それにより、前記保護グロメットの前記スリーブが前記ケーブル束の周りに配置されると、前記フランジが金属製ロッキングタイを受容する、請求項１に記載のブラケット組立体。
【請求項１０】
ケーブル束を梯子踏段に固定するためのブラケット組立体であって、該ブラケット組立体は、
第１の部材と、側壁と、第２の部材と、を有する金属製ブラケットであって、前記側壁が前記第１の部材と前記第２の部材との間に延在し、前記第１の部材が前記第２の部材に平行である、金属製ブラケットと、
前記金属製ブラケットに固定された保護グロメットであって、ベース部材と、前記ベース部材から延在するスリーブと、を有する、保護グロメットと、を備え、
それにより、前記組み立てられた金属製ブラケットおよび保護グロメットが、前記梯子踏段を受容し、前記保護グロメットの前記スリーブが、前記梯子踏段上に配置された前記ケーブル束に巻き付き、前記スリーブが重なり合って前記ケーブル束を固定する、ブラケット組立体。
【請求項１１】
前記金属製ブラケットの前記第１の部材が、前記梯子踏段のフランジに係合して前記ブラケット組立体を前記梯子踏段に固定するための湾曲したフランジを備えた遠位端を有する、請求項１０に記載のブラケット組立体。
【請求項１２】
前記金属製ブラケットの前記第１の部材が、前記梯子踏段に係合するための接触点を有する、請求項１０に記載のブラケット組立体。
【請求項１３】
前記金属製ブラケットの前記側壁が、突起を備えた開口部を含む、請求項１０に記載のブラケット組立体。
【請求項１４】
前記金属製ブラケットの前記第２の部材が、外側に延在するフランジを備えた遠位端を有する、請求項１０に記載のブラケット組立体。
【請求項１５】
前記保護グロメットが、前記グロメットの前記ベース部材の裏面から延在するロッキング特徴をさらに備え、前記ロッキング特徴が前記金属製ブラケットに係合して前記ブラケット組立体を固定する、請求項１０に記載のブラケット組立体。
【請求項１６】
前記ロッキング特徴が、前記金属製ブラケットの前記第２の部材を受容するためのチャネルを形成する２つのＬ字形フランジを備える、請求項１５に記載のブラケット組立体。
【請求項１７】
前記保護グロメットが、前記スリーブの前記裏面から延在するフランジをさらに備え、それにより、前記保護グロメットの前記スリーブが前記ケーブル束の周りに配置されると、前記フランジが金属製ロッキングタイを受容する、請求項１０に記載のブラケット組立体。
【発明の詳細な説明】
【技術分野】
【０００１】
関連出願の相互参照
本出願は、２０１３年２月２７日に出願された米国仮出願第６１／７６９，９８３号に対する優先権を主張するものであり、その主題は、参照によりその全体が本明細書に組み込まれる。
【０００２】
本発明は、梯子踏段に関し、より具体的には、ケーブル束を梯子踏段に固定するためのブラケット組立体に関する。
【背景技術】
【０００３】
ケーブルタイまたはストラップおよびバックルを使用して、ケーブルの束を梯子の枠の踏段のような支持部材に固定することは、公知である。典型的には、ケーブルの束をケーブルタイまたはストラップによる損傷から保護するために、ケーブルタイやストラップには、クッションスリーブが使用される。しかしながら、踏段の設計の変化、ならびにケーブル束および梯子枠に近接する他の障害物の近接性が原因で、クッションスリーブを備えたケーブルタイまたはストラップを取り付けることが困難になる。
【０００４】
さらに、ケーブルクリートを使用してケーブル束をケーブル梯子枠に取り付けることも公知である。例えば、Ｅｌｌｉｓの特許、バルカンおよびエンペラーケーブルクリート、などの既存のケーブルクリートは、ケーブルタイまたはストラップおよびクッションスリーブの代替を提供する。しかしながら、ケーブルクリートは、典型的には特定のケーブルルーティングシステム用に構成された別の装着ハードウェアを必要とするので、ケーブルクリートの取り付けは、高価であり、困難である。
【０００５】
したがって、ケーブル束を梯子踏段に取り付けるための改善されたブラケット組立体を提供することが望まれる。
【発明の概要】
【発明が解決しようとする課題】
【０００６】
本発明は、梯子踏段にケーブルを固定するブラケット組立体を対象とする。
【課題を解決するための手段】
【０００７】
ブラケット組立体は、金属製ブラケットと、少なくとも一つの保護グロメットと、を備える。金属製ブラケットは、第１の部材、側壁、および第２の部材を有する。金属製ブラケットの第１の部材は、金属製ブラケットの第２の部材に平行である。保護グロメットは、金属製ブラケットに固定される。各保護グロメットは、ベース部材と、ベース部材から延在するスリーブと、を有する。保護グロメットはまた、側面部材および底面部材を有することもできる。組み立てられた金属製ブラケットおよび保護グロメットは、梯子踏段を受容する。保護グロメットのスリーブは、梯子踏段上に配置されるケーブル束に巻き付く。スリーブは、ケーブル束を梯子踏段に固定するように重なり合う。
【図面の簡単な説明】
【０００８】
【図１】ケーブル束を梯子踏段に固定する梯子踏段ブラケット組立体の斜視図である。
【図２】図１の梯子踏段ブラケット組立体の金属製ブラケットの斜視図である。
【図３】図１の梯子踏段ブラケット組立体の保護グロメットの１つの斜視図である。
【図４】図１の梯子踏段ブラケットを形成するために組み立てられるように配置された金属製ブラケットおよび保護グロメットの側面図である。
【図５】図４の組み立てられた金属製ブラケットおよび保護グロメットの正面斜視図である。
【図６】図５の組み立てられた金属製ブラケットおよび保護グロメットの背面斜視図である。
【図７】梯子踏段上に取り付けられるように配置された図５の金属製ブラケットおよび保護グロメットの斜視図である。
【図８】梯子踏段上に配置された図７の金属製ブラケットおよび保護グロメットの斜視図である。
【図９】ケーブル束に巻き付けられた保護グロメットのスリーブおよび保護グロメットの周りに取り付けられるように配置された金属製タイがともに示された、図８の金属製ブラケットおよび保護グロメットの斜視図である。
【図１０】図１の梯子踏段ブラケット組立体の側面図である。
【図１１】ケーブル束を梯子踏段に固定する代替の梯子踏段ブラケット組立体の斜視図である。
【図１２】図１１の梯子踏段ブラケット組立体の金属製ブラケットの斜視図である。
【図１３】図１１の梯子踏段ブラケット組立体のグロメットの斜視図である。
【図１４】図１１の梯子踏段ブラケットを形成するために組み立てられるように配置された金属製ブラケットおよびグロメットの側面図である。
【図１５】図１４の組み立てられた金属製ブラケットおよびグロメットの正面斜視図である。
【図１６】図１５の組み立てられた金属製ブラケットおよびグロメットの背面斜視図である。
【図１７】梯子踏段上に取り付けられるように配置された図１５の金属製ブラケットおよびグロメットの斜視図である。
【図１８】梯子踏段上に配置された図１７の金属製ブラケットおよびグロメットの斜視図である。
【図１９】ケーブル束に巻き付けられたグロメットのスリーブおよびグロメットの周りに取り付けられるように配置されたストラップとバックルとがともに示された、図１８の金属製ブラケットおよびバックルの斜視図である。
【図２０】図１１の梯子踏段ブラケット組立体の側面図である。
【発明を実施するための形態】
【０００９】
図１〜１０は、スロット付きまたはスロット無し梯子踏段で使用されるように設計された梯子踏段ブラケット組立体５０を示す。図１に示されるように、本発明の梯子踏段ブラケット組立体５０は、金属製タイ１１０を使用してケーブル束１００を梯子踏段１２０に固定する。梯子踏段ブラケットはまた、ケーブル束１００をストラップとバックルとを使用して梯子踏段１２０に固定することができる。
【００１０】
図２〜６に示されるように、梯子踏段ブラケット組立体５０は、金属製ブラケット６０と、２つの保護グロメット８０と、を備える。図２は、金属製ブラケット６０を示す。金属製ブラケット６０は、第１の部材６２、側壁６６、および第２の部材６８を備える。側壁６６は、第１の部材６２から第２の部材６８に延在する。第１の部材６２は、第２の部材６８に平行である。第１および第２の部材６２、６８は、保護グロメット８０（図４を参照）のロッキング特徴９４、９６を受容する穴６４、７０をそれぞれ備える。各第２の部材６８の遠位端は、外側に延在するフランジ７２を備える。
【００１１】
図３は、保護グロメット８０の１つを示す。保護グロメット８０は、図５に示されるように互いにインターロックする同一の部品である。各保護グロメット８０は、スリーブ８４を備えたベース部材８２、側面部材８６、および指形体９０を備えた底面部材８８を備える。各保護グロメット８０の複数の指形体９０は、インターロックして保護グロメット８０を互いに固定する。底面部材８８のインターロックされた指形体９０は、梯子踏段１２０を受容するためのチャネルを作成する。側面部材８６および底面部材８８は、異なる踏段寸法に適応することを促進し、かつ梯子踏段ブラケット組立体５０が梯子踏段１２０上に取り付けられたときに、動きに対する抵抗を増加させることができる王冠形特徴９２を備える。
【００１２】
図４および６に示されるように、底面部材８８の裏面はロッキング特徴９４を備え、ベース部材８２の裏面はロッキング特徴９６を備える。ロッキング特徴９４、９６は、例えばピン、リベット、またはスナップであり、保護グロメット８０が金属製ブラケット６０上に押し付けられたときに、保護グロメット８０が適所にロックされることを可能にする。保護グロメット８０はまた、スリーブ８４の裏面から延在するフランジ９８を備える。フランジ９８は、取り付け時に、金属製タイ１１０を受容するインターロッキング特徴である（図１参照）。梯子踏段ブラケット組立体５０の最終の取り付け時に、指形体９８は、取付作業者が、金属製タイ１１０を付ける間、スリーブ８４を適所に保持する必要性を排除する。
【００１３】
図７〜１０は、梯子踏段１２０上に取り付けられている組み立てられた金属製ブラケット６０および保護グロメット８０を示す。図７に示されるように、金属製ブラケット６０および保護グロメット８０は、裏面から梯子踏段１２０上に滑走して嵌められる。次に、保護グロメット８０のベース部材８２のスリーブ８４は、ケーブル束１００に巻き付けられ、重ね合わされて適所にロックされる（図８および９を参照）。金属製タイ１１０は、保護グロメット８０の金属製ブラケット６０およびスリーブ８４の一方の端の下に巻き付けられ、ケーブル束１００を梯子踏段１２０に固定する（図９および１０を参照）。最後に、ツールを使用して金属製タイ１１０を締め付け、梯子踏段ブラケット組立体５０の取り付けを完了する。
【００１４】
梯子踏段ブラケット組立体５０は、従来の梯子踏段ブラケットを改良したものである。本発明の保護グロメット８０は、ケーブル束１００の横方向の動きおよび軸方向の動きを制御する。インターロックした保護グロメット８０はまた、ハンズフリーの取り付けを提供する。梯子踏段ブラケット組立体５０はまた、短絡回路保護、摩耗保護、より大きなケーブル直径に対する融通性、およびより大きな踏段タイプに対する融通性、を提供する。
【００１５】
図１１〜２０は、ロール成形された梯子踏段２２０に使用されるように設計された代替の梯子踏段ブラケット組立体１５０を示す。図１１に示されるように、梯子踏段ブラケット組立体１５０は、ストラップ２１０およびバックル２１２を使用して、ケーブル束２００を梯子踏段２２０に固定する。梯子踏段ブラケットはまた、金属製タイを使用して、ケーブル束２００を梯子踏段２２０に固定することができる。
【００１６】
図１２〜１６に示されるように、梯子踏段ブラケット組立体１５０は、金属製ブラケット１６０と、グロメット１８０と、を備える。図１２に示されるように、金属製ブラケット１６０は、第１の部材１６２、側壁１６８、および第２の部材１７４を備える。第１の部材１６２の遠位端は、湾曲したフランジ１６４を備える。第１の部材１６２はまた、接点１６６を備える。側壁１６８は、第１の部材１６２と第２の部材１７４との間に延在する。側壁１６８は、突起１７２を備えた開口部１７０を含む（図１４および１５を参照）。第２の部材１７４の遠位端は、フランジ１７６を備える。
【００１７】
図１３〜１６に示されるように、グロメット１８０は、スリーブ１８４を備えたベース部材１８２を備える。グロメット１８０の裏面は、ロッキング特徴１８６を備える（図１４を参照）。ロッキング特徴は、間にチャネルを作成するように配置された２つのＬ字形フランジを備える。ロッキング特徴は、金属製ブラケット１６０上に押し付けられると、グロメット１８０を適所にロックする。グロメット１８０のスリーブ１８４の裏面は、ストラップ２１０およびバックル２１２を受容するフランジ１８８を備える（図１１を参照）。フランジ１８８は、最終の取り付け時に、取付作業者が、ストラップ２１０およびバックル２１２を付ける間、スリーブ１８４を保持する必要性を排除する。
【００１８】
図１７〜２０は、梯子踏段２２０上への梯子踏段ブラケット組立体１５０の取り付けを示す。図１７に示されるように、金属製ブラケット１６０の湾曲したフランジ１６４は、梯子踏段２２０のフランジ２２２の周りにフック留めされる。次に、組み立てられた金属製ブラケット１６０およびグロメット１８０を回転させ、梯子踏段２２０の対向するフランジ２２２に係合させ、組み立てられた金属製ブラケット１６０およびグロメット１８０を、梯子踏段２２０上にクリップ留めする。図１８および１９に示されるように、グロメットスリーブ１８４は、ケーブル束２００に巻き付けられ、重ね合わされて適所にロックされる。ストラップ２１０は、金属製ブラケット１６０の下側およびグロメットスリーブ１８４に巻き付けられ、ケーブル束２００を梯子踏段２２０に固定する（図１９および２０を参照）。最後に、ツールを使用してストラップ２１０を引張り、梯子踏段ブラケット組立体１５０の取り付けを完了する。
【００１９】
梯子踏段ブラケット組立体１５０はまた、従来の梯子踏段ブラケットを改良したものである。梯子踏段ブラケット組立体１５０のグロメット１８０は、ケーブル束２００の横方向の動きと、軸方向の動きと、を制御する。グロメット１８０のインターロッキングフランジ１８８は、ハンズフリーの取り付けを提供する。梯子踏段ブラケット組立体１５０はまた、短絡回路保護、摩耗保護、短い取付時間、およびより大きなケーブル直径に対する融通性、を提供する。
【００２０】
さらに、本発明の特定の好ましい実施形態を示して説明してきたが、本発明の教示から逸脱することなく、変更および修正が、なされ得ることは、当業者には明らかであろう。前述の説明に記載された事項および添付の図面は、限定するものとしてではなく、単なる例示として提供される。本発明の実際の範囲は、従来技術に基づいて適切な観点で見た場合、以下の特許請求の範囲で定義されることを意図する。
【符号の説明】
【００２１】
５０、１５０  ・・・梯子踏段ブラケット組立体
６０、１６０  ・・・金属製ブラケット
８０  ・・・保護グロメット
１００、２００  ・・・ケーブル束
１１０  ・・・金属製タイ
１２０、２２０  ・・・梯子踏段
１８０  ・・・グロメット
２１２  ・・・バックル
２２０  ・・・梯子踏段
【図１】
2016513449.tif 000003
【図２】
2016513449.tif 000004
【図３】
2016513449.tif 000005
【図４】
2016513449.tif 000006
【図５】
2016513449.tif 000007
【図６】
2016513449.tif 000008
【図７】
2016513449.tif 000009
【図８】
2016513449.tif 000010
【図９】
2016513449.tif 000011
【図１０】
2016513449.tif 000012
【図１１】
2016513449.tif 000013
【図１２】
2016513449.tif 000014
【図１３】
2016513449.tif 000015
【図１４】
2016513449.tif 000016
【図１５】
2016513449.tif 000017
【図１６】
2016513449.tif 000018
【図１７】
2016513449.tif 000019
【図１８】
2016513449.tif 000020
【図１９】
2016513449.tif 000021
【図２０】
2016513449.tif 000022
【国際調査報告】
2016513449.tif 000023
2016513449.tif 000024